(57)【要約】      （修正有）【課題】端側面と内容物との間のスペースの有無に関らず、接着テープを剥離することができる包装箱を提供する。【解決手段】一対の第１側板と一対の第２側板を有する角筒状の胴部と、胴部の下側の開放端を閉鎖する底板部と、第１側板の上縁に連接された外フラップと、第２側板の上縁に連接された内フラップを有する包装箱である。内フラップと外フラップにより胴部の上側の開放端を閉鎖して、所定の長さに切断した所定幅の接着テープが外フラップから第２側板にわたって貼着される際に、第２側板のうち接着テープが貼着することが予定される領域が接着予定部である。接着予定部が形成された第２側板に折目線を介して連接する前記内フラップには、該折目線上において該接着予定部から所定の距離を存した位置の一端と、該一端に対して前記接着予定部と反対方向に所定の距離を存した位置の他端とを結ぶ、曲線又は屈曲線状の切目線が形成されている。【選択図】図３Ａ
2020007038.tif 000002
【特許請求の範囲】
【請求項１】
互いに対向する一対の第１側板及び該一対の第１側板の対向方向に交わる方向に互いに対向する一対の第２側板を有する上下方向に延びる角筒状の胴部と、
前記胴部の下側の開放端を閉鎖する底板部と、
前記第１側板の上縁に折目線を介して連接された外フラップと、
前記第２側板の上縁に折目線を介して連接された内フラップと、を備える包装箱において、
前記胴部の上側の開放端を閉鎖するために、前記胴部の内方に向かって水平姿勢となるように折り曲げた前記内フラップの上面に、前記外フラップを重ね合わせるように折り曲げて、所定の長さに切断した所定幅の接着テープが該外フラップから前記第２側板にわたって貼着される際に、該第２側板のうち該接着テープが貼着することが予定される領域が接着予定部であって、
前記接着予定部が形成された前記第２側板に折目線を介して連接する前記内フラップには、該折目線上において該接着予定部から所定の距離を存した位置の一端と、該一端に対して前記接着予定部と反対方向に所定の距離を存した位置の他端とを結ぶ、曲線又は屈曲線状の切目線が形成されていることを特徴とする包装箱。
【請求項２】
請求項１記載の包装箱において、
前記接着予定部が形成された前記第２側板には、前記他端から前記接着予定部の方向に延びる破断可能線が形成されていることを特徴とする包装箱。
【請求項３】
請求項２に記載の包装箱において、
前記破断可能線は、前記接着予定部まで到達していることを特徴とする包装箱。
【請求項４】
請求項１乃至３のいずれか１項に記載の包装箱において、
前記切目線が形成された内フラップには、前記切目線の一端から前記折目線上を接着予定部の方向に延びる第２破断可能線が形成されていることを特徴とする包装箱。
【請求項５】
請求項１乃至４のいずれか１項に記載の包装箱において、
前記切目線は、前記内フラップの前記接着予定部を挟む前記折目線上の両側に設けられ、
前記内フラップに前記折目線を介して連接された前記第２側板には、両切目線の他端同士を結ぶ曲線又は屈曲線状の破断可能線と、該破断可能線と所定の距離を存するとともに両切目線の一端同士を結ぶ第２破断可能線とが形成されていることを特徴とする包装箱。
【発明の詳細な説明】
【技術分野】
【０００１】
本発明は、包装箱に関する。
【背景技術】
【０００２】
従来から、いわゆるＡ式の段ボール箱においては、両内フラップを前記胴部の内方に向かって水平姿勢となるように折り曲げ、両外フラップの先端を突き合わせるように折り曲げて前記内フラップの上面に重合させ、所定の長さに切断した所定幅の接着テープを一対の外フラップの両先端縁に沿って貼着させると共に、該接着テープの両端をそれぞれ両端側面に貼着させることで、該胴部の上側の開放端を閉鎖して被包装物の梱包を行う。
【０００３】
上記の包装箱では、接着力の高い接着テープを用いることにより、強固な閉鎖状態を維持することができるが、その反面、開封する際には接着テープが剥がしづらく、開封作業を円滑に行えないという不都合がある。
【０００４】
これに対し、接着テープが貼着された領域を含む前記端側面の一部を破断させて、接着テープを剥がす包装箱が知られている（下記特許文献１参照）。
【０００５】
この包装箱の端側面には、上縁から下縁まで破断可能線が貼着された接着テープを挟んで一対設けられ、さらに、両破断可能線の各中央から互いに接近する一対の切れ込みが設けられている。この結果、上記包装箱では、両切れ込みを繋げるように破断させてから、両破断可能線を上方に破断させていくことで、
端側面から段ボール片を分離し、段ボール片と一体に接着テープを剥離することができる。
【先行技術文献】
【特許文献】
【０００６】
【特許文献１】特開２００７−８５２９号公報
【発明の概要】
【発明が解決しようとする課題】
【０００７】
しかしながら、上記包装箱では、両切れ込みを繋げるように破断させる際に、該切れ込みから手指を箱の内側に押し込んで手指を引っ掛けて端側面を破断する手掛かりを作る必要があるため、例えば包装箱にコピー用紙などが隙間なく収納されている場合など、端側面と内容物との間にスペースがない場合には、手指を押し込みにくく端側面を破断する手掛かりを作ることが困難であるという不都合がある。
【０００８】
上記の点に鑑み、本発明は、端側面と内容物との間のスペースの有無に関らず、接着テープを剥離することができる包装箱を提供することを目的とする。
【課題を解決するための手段】
【０００９】
かかる目的を達成するために、本発明の包装箱は、互いに対向する一対の第１側板及び該一対の第１側板の対向方向に交わる方向に互いに対向する一対の第２側板を有する上下方向に延びる角筒状の胴部と、前記胴部の下側の開放端を閉鎖する底板部と、前記第１側板の上縁に折目線を介して連接された外フラップと、前記第２側板の上縁に折目線を介して連接された内フラップと、を備える包装箱において、前記胴部の上側の開放端を閉鎖するために、前記胴部の内方に向かって水平姿勢となるように折り曲げた前記内フラップの上面に、前記外フラップを重ね合わせるように折り曲げて、所定の長さに切断した所定幅の接着テープが該外フラップから前記第２側板にわたって貼着される際に、該第２側板のうち該接着テープが貼着することが予定される領域が接着予定部であって、前記接着予定部が形成された前記第２側板に折目線を介して連接する前記内フラップには、該折目線上において該接着予定部から所定の距離を存した位置の一端と、該一端に対して前記接着予定部と反対方向に所定の距離を存した位置の他端とを結ぶ、曲線又は屈曲線状の切目線が形成されていることを特徴とする。
【００１０】
本発明の包装箱は、上下方向に延びる角筒状の胴部と、前記胴部の下側の開放端を閉鎖する底板部とを備えるので、内容物を収納することができる。
【００１１】
ここで、前記胴部は、互いに対向する一対の第１側板及び該第１側板に対向方向に交わる方向に互いに対向する一対の第２側板を有し、該第１側板は、該第１側板の上縁に折目線を介して連接された外フラップを備え、また、該第２側板は、該第２側板の上縁に折目線を介して連接された内フラップを備えるため、前記胴部の内方に向かって水平姿勢となるように折り曲げた該内フラップの上面に、該外フラップを重ね合わせるように該折目線に沿って折り曲げて、前記外フラップから前記第２側板にわたって所定の長さに切断した所定幅の接着テープを貼着することで、前記胴部の上方の開放端を閉鎖することができる。
【００１２】
ところで、本発明では、該第２側板の該接着テープが貼着することが予定される領域が接着予定部とされ、この該接着予定部が形成された前記第２側板に折目線を介して連接する前記内フラップは、該折目線上の一端と他端とを結ぶ曲線又は屈曲線状の切目線とを有するため、上述したように該内フラップを前記胴部の内方に向かって水平姿勢となるように折り曲げたとき、該内フラップの該折目線と該切目線とに囲まれた領域が該第２側板に沿って上方に延設され、該内フラップから起立した状態になる。
【００１３】
そして、該囲まれた領域は、これを構成する切目線の一端が前記折目線上の前記接着予定部から所定の距離を存した位置であると共に、他端が該一端に対して該接着予定部と反対方向に所定の距離を存した位置に設けられているため、全体として該接着予定部から離れている。よって、前記接着テープを前記第２側板に貼着したときに、該囲まれた領域には該接着テープが重ならないため、内フラップから起立した該囲まれた領域を指で把持することができる。
【００１４】
そして、該囲まれた領域を指で把持したまま下に引っ張って、第２側板を接着予定部まで破断していくと、該接着予定部の外面に貼着されている接着テープは、破断された第２側板と共にその一部がめくれ上がる。この接着テープのめくれ上がった部分を引っ張ることで、該接着テープを包装箱から剥離させることができる。
【００１５】
したがって、本発明の包装箱によれば、前記第２側板と内容物との間のスペースの有無に関らず、前記接着テープを剥離することができる。
【００１６】
また、本発明の包装箱において、前記接着予定部が形成された前記第２側板には、前記他端から前記接着予定部の方向に延びる破断可能線が形成されていることが好ましい。
【００１７】
これによれば、前記囲まれた領域を構成する切目線の他端から破断可能線が延びているため、前記囲まれた領域を把持して引っ張ったとき、第２側板は該破断可能線に沿って破断されていく。このとき、該破断可能線は前記接着予定部の方向に向かって延びているため、前記囲まれた領域を引っ張ったときに第２側板は該接着予定部に向かって破断されていき、確実に該接着予定部まで破断されやすくなる。
【００１８】
また、本発明の包装箱において、前記破断可能線は、前記接着予定部まで到達していることが好ましい。
【００１９】
これによれば、前記囲まれた領域を指で把持して引っ張り前記破断可能線に沿って該第２側板を破断させる際に、確実に該第２側板を前記接着予定部まで破断させることができるため、前記接着テープを包装箱から剥離させることができる。
【００２０】
また、本発明の包装箱において、前記接着予定部が形成された前記第２側板に連接する前記内フラップには、前記一端から前記折目線上を接着予定部の方向に延びる第２破断可能線が形成されていることが好ましい。
【００２１】
これによれば、前記囲まれた領域を指で把持して引っ張ったとき、前記第２破断可能線に沿って前記第２側板の上縁が破断されるため、前記接着テープが該第２側板に対して僅かに進入している場合であっても、破断された該第２側板の上縁と共に該接着テープの一部が確実にめくれ上がり、該接着テープを包装箱から剥離させることができる。
【００２２】
また、本発明の包装箱において、前記切目線は、前記内フラップの前記接着予定部を挟む前記折目線上の両側に設けられ、前記内フラップに前記折目線を介して連接された前記第２側板には、両切目線の他端同士を結ぶ曲線又は屈曲線状の破断可能線と、該破断可能線と所定の距離を存するとともに両切目線の一端同士を結ぶ第２破断可能線とが形成されていることが好ましい。
【００２３】
これによれば、例えば前記第２側板に正対したときに、左右どちら側からでも、破断させることができる。また、前記破断可能線及び前記第２破断可能線が前記接着テープを幅方向に跨いで形成されているため、一方の前記囲まれた領域から他方の前記囲まれた領域まで破断させたときに、その段ボール片ごと前記接着予定部に貼着した前記接着テープをめくり上げることができるため、より確実に該接着テープを包装箱から剥離させることができる。
【図面の簡単な説明】
【００２４】
【図１】本発明の第１実施形態を示す斜視図。
【図２】第１実施形態における包装箱の展開図。
【図３Ａ】第１実施形態における開封作業を示す説明図。
【図３Ｂ】第１実施形態における開封作業を示す説明図。
【図３Ｃ】第１実施形態における開封作業を示す説明図。
【図４Ａ】本発明の第２実施形態の包装箱を示す斜視図。
【図４Ｂ】本発明の第２実施形態の包装箱を示す展開図。
【図５Ａ】本発明の変形例に係る包装箱の側面図。
【図５Ｂ】本発明の変形例に係る包装箱の側面図。
【図５Ｃ】本発明の変形例に係る包装箱の側面図。
【発明を実施するための形態】
【００２５】
［第１実施形態］
本発明の第１実施形態を図１〜図３に基づいて説明する。
【００２６】
第１実施形態の包装箱１は、図１に示すように、四角筒状の胴部２０と、該胴部２０の上側の開放端を閉塞する天板部３０と、該胴部２０の下側の開放端を閉塞する底板部４０とによって直方体状に形成されている。
【００２７】
胴部２０は、起立状態で互いに対向し、一対の第１側板２１と、両第１側板２１の対向方向に直交する方向に起立状態で互いに対向する一対の第２側板２２とによって構成されている。
【００２８】
天板部３０は、一対の外フラップ３１及び一対の内フラップ３２からなる（図２参照）。各外フラップ３１は、前記第１側板２１の上縁に折目線ｃを介して連接されている。各内フラップ３２は、前記第２側板２２の上縁に折目線ｄを介して連接されている。
【００２９】
胴部２０の上側の開放端は、胴部２０の内方に向かって水平姿勢となるように折り曲げた一対の内フラップ３２の上面に、一対の外フラップ３１を重ね合わせるように折り曲げることで閉塞されている。なお、底板部４０も後述する外フラップ４１及び内フラップ４２によって同様に閉塞される。
【００３０】
このとき、一対の外フラップ３１の先端縁を互いに突き当てた部分が、突き当て部３１ａであり、この突き当て部３１ａの全長にわたって接着テープＴが貼着されることで、包装箱１が封緘される。
【００３１】
接着テープＴは、その長手方向の各端部が各第２側板２２にも貼着される。この第２側板２２のうち接着テープＴが貼着することが予想される領域を、本発明では接着予定部２２ａという。
【００３２】
第２側板２２の上端部の中央には破断予定部５０（本発明で言うところの、切目線、破断可能線及び第２破断可能線で囲まれた領域）が設けられている。破断予定部５０は、概略Ｕ字状であって、その底部中央を交差して通るように接着テープＴが貼付されている。破断予定部５０のうち接着テープＴが交差した領域は、接着予定部２２ａの一部も構成する。
【００３３】
概略Ｕ字状の破断予定部５０の両上端部にあたる摘み部５１（本発明で言うところの、切目線と折目線で囲まれた領域）は、第２側板２２の上縁から上方に延出して設けられている。
【００３４】
図２に示すように、包装箱１は、一枚の段ボール板紙１０Ａから形成されている。段ボール板紙１０Ａは、一対の第１側板２１と一対の第２側板２２とが、それぞれ折目線ａを介して横方向に交互に連設されている。図２における左側の第１側板２１の側縁には、折目線ｂを介して接着片２３が連設されている。
【００３５】
各第１側板２１の上縁には、それぞれ折目線ｃを介して外フラップ３１が連接されている。
【００３６】
各第２側板２２の上縁には、それぞれ折目線ｄを介して内フラップ３２が連接されている。また、各第２側板２２上縁部中央の接着テープＴが貼着することが予想される領域が接着予定部２２ａである。
【００３７】
同様に、各第１側板の下縁には、それぞれ折目線ｃを介して外フラップ４１が連接されている。また、各第２側板２２の下縁には、それぞれ折目線ｄを介して内フラップ３２が連接されている。
【００３８】
一対の内フラップ３２には、基端中央の接着予定部２２ａの両側に切目線５２が一対形成されている。
【００３９】
切目線５２は、下縁（折目線ｄ）上において該接着予定部２２ａから所定の距離を存した位置である内側端５２ａ（本発明でいうところの一端）と、該内側端５２ａに対して前記接着予定部と反対方向に所定の距離を存した位置の外側端５２ｂ（本発明でいうところの他端）を結んでコの字状に延びている。
【００４０】
さらに、一対の第２側板２２には、両切目線５２の外側端５２ｂを結ぶ概略Ｕの字状の第１破断可能線５３（本発明でいうところの破断可能線）が形成されている。また、一対の第２側板２２には、両切目線５２の内側端５２ａを結ぶ直線状の第２破断可能線５４が形成されている。本実施形態では、第１破断可能線５３及び第２破断可能線５４は、直線状の複数の切れ目が断続した所謂ミシン目として形成されている。
【００４１】
外フラップ３１には、両側縁の先端側に切欠き３１ｂが形成されている。
【００４２】
次に、段ボール板紙１０Ａから包装箱１を組み立てる工程を説明する。
【００４３】
まず、一対の第１側板２１及び一対の第２側板２２を折目線ａに沿って同一方向に折り曲げるとともに、接着片２３を折目線ｂに沿って折り曲げて第１側板２１の端部の内側面に重合させて接着することで、図１に示す胴部２０を形成する。
【００４４】
次に、一対の内フラップ４２を折目線ｄに沿って胴部２０の内方に向かって水平姿勢となるように折り曲げ、一対の外フラップ４１を折目線ｃに沿って折り曲げて内フラップ４２の上面に重ね合わることで底板部４０を形成する。
【００４５】
このとき、図１には図示されないが、一対の外フラップ４１の先端縁を互いに突き当てた部分が突き当て部４１ａであり、この突き当て部４１ａの全長にわたって接着テープＴが貼着される。これにより、内容物を胴部２０の中に収納できる。
【００４６】
次に、一対の内フラップ３２を折目線ｄに沿って胴部２０の内方に向かって水平姿勢となるように折り曲げる。このとき、内フラップ３２には、両端が折目線ｄ上にある切目線５２が設けられているので、内フラップ３２を水平姿勢となるように折り曲げたときに、該切目線５２と折目線ｄで囲まれた領域は、内フラップ３２の他の領域と共に、水平姿勢に折れ曲がることなく、第２側板２２に沿って上方に延びたまま内フラップ３２に対して起立した状態になる。この起立した該切目線５２と折目線ｄで囲まれた領域が、図１に示した摘み部５１である。
【００４７】
次に、一対の外フラップ３１を折目線ｃに沿って折り曲げて、内フラップ３２の上面に重ね合わせることで、天板部３０を形成する。
【００４８】
次に、外フラップ３１の突き当て部３１ａの全長にわたって接着テープＴが貼着されることで、包装箱１が封緘される。
【００４９】
次いで、封緘された包装箱１の開封作業を説明する。
【００５０】
まず、図３Ａに示すように、左右いずれか一方の摘み部５１を指で摘む（図３Ａでは右側を摘まんだ場合を例として説明する。）。
【００５１】
次に、図３Ｂに示すように、摘み部５１を若干左下に引っ張った後、そのまま左側に引っ張っていく。これにより、第２側板２２は、第１破断可能線５３及び第２破断可能線５４に沿って徐々に破断されていく。
【００５２】
次に、図３Ｃに示すように、摘み部５１を上に引っ張ることで、第２側板２２から段ボール片５５を分離する。このとき、段ボール片５５に対して接着テープＴは交差して接着されているため、接着テープＴの長手方向の端部も第２側板２２から剥離される。
【００５３】
そして、接着テープＴが貼付された段ボール片５５を引っ張ることで、接着テープＴはその全長にわたって包装箱１から剥離される。
【００５４】
以上説明した第１実施形態の包装箱１によれば、容易に接着テープＴを引き剥がすことができる。特に、第２側板２２に手指を押し込んで破る必要がないため、包装箱１の内部に内容物としてコピー用紙や紙器箱などが隙間なく収納されている場合であっても、容易に接着テープＴを引き剥がすことができる。
【００５５】
また、第１実施形態の摘み部５１は、第２側板２２の上縁から上方に延出しているため、摘み部５１を指で摘まむことで、第２側板２２を破断して接着テープＴを包装箱１から剥離させる手掛かりを得ることができる。
【００５６】
また、第１実施形態の第１破断可能線５３は、外側端５２ｂから接着予定部２２ａまで形成されているため、摘み部５１を指で把持して下に引っ張ることで第２側板２２を接着予定部２２ａまで破断させ、該接着予定部２２ａの表面に貼着されている接着テープＴを包装箱１から剥離させることができる。
【００５７】
また、第１実施形態の破断予定部５０は、折目線ｄ上に第２破断可能線５４を有するため、接着テープＴが第２側板２２に対して僅かにしか貼着されていない（接着テープＴが第２破断可能線５４は超えているが第１破断可能線５３は超えていない）場合であっても、該接着予定部２２ａの表面に貼着されている接着テープＴを包装箱１から剥離させることができる。
【００５８】
また、第１実施形態の第１破断可能線５３及び第２破断可能線５４は、両切目線５２の両外側端５２ｂ及び両内側端５２ａをそれぞれ繋ぐとともに、接着テープＴを幅方向に跨いで形成されているため、摘み部５１を一方から他方まで破断させたときに、段ボール片５５を包装箱１から分離することができる。そして、接着テープＴの一端が貼着された該段ボール片５５をひっぱることで、接着テープＴを包装箱１から剥離させることができるため、接着テープＴの接着面に触れることがなく手が汚れない。
【００５９】
また、第１実施形態の破断予定部５０は、概略Ｕ字状であって、両摘み部５１がそれぞれ第２側板２２の上縁から上方に延出しているため、右手、左手のどちらでも各摘み部５１を指で摘んで第２側板２２を破断させることができる。
【００６０】
また、第１実施形態の外フラップ３１には切欠き３１ｂが形成されているため、外フラップ３１を折り曲げて内フラップ３２の上面に重ね合わせたときに、外フラップ３１の側縁が摘み部５１に接触しにくいため、機械梱包した場合であっても、誤って摘み部５１が折り曲げられてしまうことを防止することができる。
【００６１】
［第２実施形態］
本発明の第２実施形態を図４Ａ及び図４Ｂに基づいて説明する。なお、第２実施形態以降の実施形態において第１実施形態と同一の構成には説明を省略する。
【００６２】
図４Ａに示すとおり、第２実施形態の包装箱２は、所謂Ｂ式の段ボール箱であって、天板部２３０は、一対の内フラップ２３２と、１枚の外フラップ２３１から形成され、該外フラップの先端縁と該先端縁に隣接する第１側板２２１の上縁に沿って接着テープＴが貼付される。
【００６３】
第２実施形態の接着予定部２２２ａは、第２側板２２２の上隅部（図４Ａでは右上）に形成されている。
【００６４】
第２実施形態の破断予定部２５０は、概略Ｌ字状であって、水平方向に延びる部分に交差するように接着テープＴが貼付されている。この摘み部２５１の接着テープＴが交差する領域は、前記接着予定部２２２ａの一部も構成する。
【００６５】
図４Ｂに示すとおり、包装箱２は、一枚の段ボール板紙１０Ｂから形成されている。
【００６６】
左側の第１側板２２１の上縁には、第１実施形態における外フラップの約２倍の長さを有する外フラップ２３１が折目線ｃを介して連接されている。他方、第２側板２２２に挟まれた第１側板２２１の上縁には、外フラップは連接されていない。
【００６７】
第２実施形態では、右側の第２側板２２２左上隅部が、接着テープＴが貼着することが予想される領域である接着予定部２２２ａとなり、他方、第１側板２２１に挟まれた第２側板２２２の右上隅部が、同様に接着予定部２２２ａとなる。
【００６８】
一対の内フラップ２３２には、それぞれ接着予定部２２２ａに隣接して切目線２５２が設けられている。
【００６９】
切目線２５２は、内フラップ２３２の下縁（折目線ｄ）上において接着予定部２２２ａから所定の距離を存した位置である内側端２５２ａと、該内側端２５２ａに対して前記接着予定部と反対方向に所定の距離を存した位置の外側端２５２ｂとを結んでコの字状に延びている。
【００７０】
さらに、一対の第２側板２２２には、外側端２５２ｂから接着予定部２２２ａに向かって延びる概略Ｌ字状の第１破断可能線２５３と、内側端２５２ａから折目線ｄ上を接着予定部２２２ａに向かって延びる直線状の第２破断可能線２５４とが形成されている。第１破断可能線２５３及び第２破断可能線２５４は、隣接する内フラップ２３２の側縁（折目線ａ）まで延びている。
【００７１】
次に、封緘された包装箱２の開封作業を説明する。ここでは、図４Ａにおいて手前に示されている第２側板２２２に正対した場合を例とする。
【００７２】
まず、摘み部２５１を指で摘まんで若干下に引っ張った後、隣接する第１側板２２１の側縁（折目線ａ）まで右側に引っ張っていく。これにより、第２側板２２２は、破断予定部２５０の第１破断可能線２５３及び第２破断可能線２５４に沿って破断される。
【００７３】
このとき、接着テープＴは破断予定部２５０に交差して貼付されているため、破断予定部２５０が包装箱２から破断されてめくれ上がることにより、接着テープＴの端部も一緒にめくれ上がる。
【００７４】
そして、めくれ上がった接着テープＴの端部を把持して引っ張ることで、接着テープＴをすべて包装箱２から剥離することができる。
【００７５】
以上説明した第２実施形態の包装箱２によれば、所謂Ｂ式の包装箱であっても、容易に接着テープＴを引き剥がすことができる。
【００７６】
なお、第２実施形態では、破断予定部２５０を隣接する第１側板２２１の側縁（折目線ａ）まで破断させて、めくれ上がった接着テープＴの端部を把持した例を説明したが、本実施形態はこれに限られず、折目線ａまで破断させた破断予定部２５０を上に引っ張って引き裂くことで、破断予定部２５０を第２側板２２２から段ボール片２５５として分離させることもできる。
【００７７】
図５Ａ〜Ｃに基づいてその他の変形例について説明する。
【００７８】
第１実施形態においては、摘み部５１が接着予定部２２ａを挟んで両側に設けられているものを示したが、図５Ａ〜Ｃに示すように、どちらか片側にひとつだけ設けてもよい。
【００７９】
また、第１実施形態及び第２実施形態においては、摘み部５１，２５１は略四角形のものを示したが、これに限らず、図５Ａに示すような三角形、図５Ｂに示すような半円形又は図５Ｃに示すような平行四辺形でもよく、あるいは、台形、五角形、六角形、八角形等、並びに楕円形でもよい。
【００８０】
また、第１実施形態及び第２実施形態においては、摘み部５１，２５１は接着予定部２２ａ，２２２ａに隣接して設けられているものを示したが、図５Ａに示すように接着予定部３２２ａから離れて設けられていてもよい。
【００８１】
第１実施形態及び第２実施形態においては、第１破断可能線５３，２５３及び第２破断可能線５４，２５４が両方形成されているものを示したが、図５Ｂに示すように第１破断可能線４５３のみ形成されていてもよいし、図５Ｃに示すようにどちらも形成されていなくてもよいし、図示しないが、第２破断可能線のみ形成されていてもよい。
【００８２】
また、第１実施形態及び第２実施形態においては、第１破断可能線５３，２５３及び第２破断可能線５４，２５４は接着予定部２２ａ，２２２ａを横断しているものを示したが、図５Ｂで示すように、接着予定部４２２ａに達していてもよいし、図５Ａに示すように接着予定部３２２ａの方向に延びていてもよいし、図５Ｃに示すように形成されていなくてもよい。
【００８３】
また、第１実施形態及び第２実施形態においては、第１破断可能線５３，２５３は曲線状のものを示したが、図５Ａに示すように、直線状であってもよい。
【００８４】
また、第１実施形態及び第２実施形態においては、第２破断可能線５４，２５４は内側端５２ａ，２５２ａから折目線ｄ上を接着予定部２２ａ，２２２ａに向かって延びるものを示したが、図５Ａに示すように、内側端３５２ａから接着予定部３２２ａに向かって延びていれば、折目線ｄ上を延びていなくてもよい。
【００８５】
また、第１実施形態及び第２実施形態においては、第２破断可能線５４，２５４は直線状のものを示したが、これに限らず、曲線状や屈曲線状でもよい。
【００８６】
また、第１実施形態及び第２実施形態においては、第１破断可能線５３，２５３と第２破断可能線５４，２５４が等間隔を保ちながら延びているものを示したが、図５Ａに示すように、その間隔が徐々に開いてもよい。接着予定部３２２ａに向けて第２側板を破断する際に、誤って接着予定部３２２ａに到達する前に破断することを防止できるためである。図示しないが、第１破断可能線と第２破断可能線が交差しなければ、その間隔が徐々に狭くなってもよい。
【００８７】
また、第１実施形態及び第２実施形態においては、第１破断可能線５３，２５３及び第２破断可能線５４，２５４は直線状の複数の切れ目が断続したいわゆるミシン目として形成されているものを示したが、これに限らず、例えば図示しないが、一端が屈曲する複数の切れ目によるジッパー等として形成してもよい。
【００８８】
第１実施形態においては、破断予定部５０が第２側板２２の上端部に設けられているものを示したが、第２側板２２の下端部にも設けられていてもよい。
【００８９】
また、第１実施形態及び第２実施形態においては、破断予定部５０が一対の第２側板２２，２２２に設けられているものを示したが、いずれか１枚の第２側板２２，２２２にのみ設けられていてもよい。
【００９０】
第１実施形態及び第２実施形態においては、四角筒状の胴部２０，２２０を示したが、これに限るものではなく、胴部２０，２２０は、例えば図示しないが、三角筒状、五角筒状、六角筒状、七角筒状、八角筒状等でもよい。
【００９１】
第２実施形態においては、天板部２３０が一対の内フラップ２３２と１枚の外フラップ２３１から形成されているものを示したが、１枚の内フラップ２３２と１枚の外フラップ２３１から形成されていてもよい。
【００９２】
第１実施形態においては、胴部２０の上側の開放端を閉塞する際に、一対の外フラップ３１の先端を突き当てて、突き当て部３１ａを形成するものを示したが、これに限らず、図示しないが、第１実施形態より外フラップ３１の長さが長いことにより一対の外フラップ３１の先端が重なっている、または、外フラップの一対の側端縁の長さが違うことにより先端縁が斜めに形成される等外フラップが特殊な形をしている等、突き当て部３１ａを形成していなくてもよい。
【００９３】
第１実施形態においては、一対の外フラップ３１に切欠き３１ｂが形成されているものを示したが、この切欠き３１ｂは形成されていなくてもよい。
【００９４】
第１実施形態及び第２実施形態においては、底板部４０，２４０は、一対の内フラップ４２，２４２を折目線ｄに沿って胴部２０の内方に向かって水平姿勢となるように折り曲げ、一対の外フラップ４１，２４１を折目線ｃに沿って折り曲げて内フラップ４２，２４２の上面に重ね合わること形成されるものを示したが、これに限らず、例えば一対の内フラップ４２，２４２を折り曲げた上面に１枚の外フラップ４１，２４１を重ね合わせることで形成される所謂Ｂ式等でもよい。
【００９５】
第１実施形態においては、所謂Ａ式の段ボール箱のものを示したが、所謂ラップアラウンドケースでもよい。この場合、胴部２０は左右に延びることになる。
【００９６】
第１実施形態及び第２実施形態においては、接着テープＴはＯＰＰテープ（延伸ポリプロピレンテープ）を採用しているが、これに限らず、クラフトテープ、布テープ等を採用してもよい。
【符号の説明】
【００９７】
１、２…包装箱
２０、２２０…胴部
２１、２２１…第１側板
２２、２２２、３２２、４２２、５２２…第２側板
２２ａ、２２２ａ、３２２ａ、４２２ａ、５２２ａ…接着予定部
３１、２３１…外フラップ
３２、２３２…内フラップ
４０、２４０…底板部
５０、２５０、３５０、４５０…破断予定部
５１、２５１、３５１、４５１、５５１…摘み部
５２、２５２、３５２、４５２、５５２…切目線
５２ａ、２５２ａ、３５２ａ、４５２ａ、５５２ａ…内側端
５２ｂ、２５２ｂ、３５２ｂ、４５２ｂ、５５２ｂ…外側端
５３、２５３、３５３、４５３…第１破断可能線
５４、２５４、３５４…第２破断可能線
ａ、ｂ、ｃ、ｄ…折目線
Ｔ…接着テープ
【図１】
2020007038.tif 000003
【図２】
2020007038.tif 000004
【図３Ａ】
2020007038.tif 000005
【図３Ｂ】
2020007038.tif 000006
【図３Ｃ】
2020007038.tif 000007
【図４Ａ】
2020007038.tif 000008
【図４Ｂ】
2020007038.tif 000009
【図５Ａ】
2020007038.tif 000010
【図５Ｂ】
2020007038.tif 000011
【図５Ｃ】
2020007038.tif 000012